(57)【要約】【課題】所定軸方向の輝度の視野角依存性の幅を広く維持できるバックライトを提供することである。【解決手段】バックライトは、面光源と、レンチキュラレンズシート３１と、拡散シート３２とを備える。面光源は、互いに並設される複数の線光源と、拡散板とを含む。レンチキュラレンズシート３１は、面光源上に敷設される。レンチキュラレンズシート３１は、線光源と並行する複数のシリンドリカルレンズを含む。拡散シート３２は、レンチキュラレンズシート上に敷設される。拡散シート３２は、８０％以上の全光線透過率と、８０％以上のヘイズとを有する。【選択図】図３
2009140615.tif 000002
【特許請求の範囲】
【請求項１】
互いに並設された複数の線光源と、拡散板とを含む面光源と、
前記面光源上に敷設され、前記線光源と並行する複数のシリンドリカルレンズを含むレンチキュラレンズシートと、
前記レンチキュラレンズシート上に敷設され、８０％以上の全光線透過率と、８０％以上のヘイズとを有する拡散シートとを備えることを特徴とするバックライト。
【請求項２】
互いに並設された複数の線光源と拡散板とを有する面光源を含むバックライトに用いられる光学部材であって、
前記面光源上に敷設され、前記線光源と並行する複数のシリンドリカルレンズを含むレンチキュラレンズシートと、
前記レンチキュラレンズシート上に敷設され、８０％以上の全光線透過率と、８０％以上のヘイズとを有する拡散シートとを備えることを特徴とする光学部材。
【請求項３】
互いに並設された複数の線光源と、拡散板とを備える面光源と、
前記面光源上に敷設され、前記線光源と並行する複数のシリンドリカルレンズを含むレンチキュラレンズシートと、
前記レンチキュラレンズシート上に敷設され、８０％以上の全光線透過率と、８０％以上のヘイズとを有する拡散シートと、
前記拡散シート上に敷設される液晶パネルとを備えることを特徴とする液晶表示装置。
【発明の詳細な説明】
【技術分野】
【０００１】
本発明は、バックライト、バックライトに用いられる光学部材及び液晶表示装置に関し、さらに詳しくは、液晶パネルを含む液晶表示装置に用いられるバックライト、光学部材及び液晶表示装置に関する。
【背景技術】
【０００２】
液晶表示装置は、高い正面輝度を求められる。そのため、液晶表示装置に用いられるバックライトは、正面輝度を向上する光学部材を備える。特許第３２６２２３０号公報（特許文献１）に開示されるように、一般的には、光学部材としてプリズムシートが用いられる。
【０００３】
プリズムシートを用いた場合、プリズムレンズが液晶パネルの画素と干渉するため、モアレ縞が発生しやすい。特開２００６−２３５０１４号公報（特許文献２）は、このようなモアレ縞を防ぐ技術を開示する。具体的には、プリズムシートと液晶パネルとの間に、拡散シートを敷設し、これにより、モアレ縞の発生が抑制されるとしている。
【０００４】
確かに、プリズムシートと液晶パネルとの間に拡散シートが敷設されれば、プリズムシートが液晶パネルと干渉しにくくなり、モアレ縞が抑制される。しかしながら、プリズムシート上に拡散シートを敷設すれば、液晶表示装置の表示画面における視野角が狭くなるという問題が生じる。
【０００５】
液晶表示装置の場合、表示画面の左右方向（つまり、水平方向）の視野角が広い方が好ましい。なぜなら、液晶表示装置のユーザにとって、上下斜め方向から表示画面を見る機会よりも、左右斜め方向から表示画面を見る機会の方がより多いからである。そのため、液晶表示装置の表示画面において、少なくとも左右方向の視野角は広い方が好ましい。具体的には、ＩＰＳ方式に液晶パネルを含む液晶表示装置の左右方向の輝度の視野角依存性において、正面輝度の１／３以上の輝度を有する視野角範囲（以下、１／３視野角という）が１２０ｄｅｇ以上であるのが好ましい。
【０００６】
また、バックライトが、互いに並設された複数の線光源を含む場合、輝度ムラが発生する場合がある。具体的には、表示画面のうち、線光源の配設位置に対応する部分の輝度が高く、その他の部分の輝度が低くなる。このような輝度ムラは、表示画面を見るユーザに違和感を与える。
【特許文献１】特許第３２６２２３０号公報
【特許文献２】特開２００６−２３５０１４号公報
【発明の開示】
【発明が解決しようとする課題】
【０００７】
本発明の目的は、所定軸方向の輝度の視野角依存性の幅を広く維持できるバックライトを提供することである。具体的には、ＩＰＳ方式の液晶パネルを敷設して得られた所定軸方向の輝度の視野角依存性において、１／３視野角が１２０ｄｅｇ以上となるバックライトを提供することである。
【０００８】
本発明の他の目的は、輝度ムラを防止できるバックライトを提供することである。
【課題を解決するための手段及び発明の効果】
【０００９】
本発明によるバックライトは、面光源と、レンチキュラレンズシートと、拡散シートとを備える。面光源は、互いに並設される複数の線光源と、拡散板とを含む。レンチキュラレンズシートは、面光源上に敷設される。レンチキュラレンズシートは、線光源と並行する複数のシリンドリカルレンズを含む。拡散シートは、レンチキュラレンズシート上に敷設される。拡散シートは、８０％以上の全光線透過率と、８０％以上のヘイズとを有する。ここで、シリンドリカルレンズは線光源と厳密に平行である必要はなく、後述の本発明の効果を奏する程度に並行していればよい。
【００１０】
本発明によるバックライトは、レンチキュラレンズシート上に敷設された拡散シートの全光線透過率が８０％以上である。そのため、レンチキュラレンズシートにより形成される輝度の視野角依存性が拡散シートにより狭くなるのが抑制され、レンチキュラレンズシート上のシリンドリカルレンズの延在方向における１／３視野角が１２０ｄｅｇ以上となる。さらに、シリンドリカルレンズが線光源と並行し、かつ、拡散シートのヘイズが８０％以上であるため、輝度ムラが抑制される。
【００１１】
本発明による光学部材は、上述のバックライトに用いられるレンチキュラレンズシートと拡散シートとを含む。また、本発明による液晶表示装置は、液晶パネルと、上述のバックライトとを備える。
【発明を実施するための最良の形態】
【００１２】
以下、図面を参照し、本発明の実施の形態を詳しく説明する。図中同一又は相当部分には同一符号を付してその説明は繰り返さない。
【００１３】
［液晶表示装置及びバックライトの構成］
図１及び図２を参照して、液晶表示装置１は、バックライト１０と、バックライト１０の正面に敷設される液晶パネル２０とを備える。液晶パネル２０は、ＩＰＳ方式の液晶パネルであり、行列状に配列された複数の画素を備える。液晶表示装置１の表示画面２１は、左右方向（図中ｘ方向）に長辺を有し、上下方向（図中ｙ方向）に短辺を有する長方形状となっている。
【００１４】
バックライト１０は、いわゆる直下型であり、拡散光を出射する面光源１１と、面光源１１上に敷設されるシート状の光学部材１５とを備える。但し、エッジライト方式であっても本願の効果を奏することができる。
【００１５】
面光源１１は、ハウジング１２と、線光源である複数の蛍光管１３と、拡散板１４とを備える。ハウジング１２は、正面に開口部１２０を有する筐体であり、内部に複数の蛍光管１３を収納する。ハウジング１２の内側表面は、反射フィルム１２１で覆われている。反射フィルム１２１は、蛍光管１３から出射された光を乱反射し、乱反射された光を開口部１２０に導く。反射フィルム１２１は、たとえば株式会社東レ製ルミラー（登録商標）Ｅ６０ＬやＥ６０Ｖである。反射フィルム１２１は、拡散反射率が９５％以上であるのが好ましい。
【００１６】
複数の蛍光管１３は、ハウジング１２内に上下方向（図１中のｙ方向）に並設される。蛍光管１３は左右方向（図１中のｘ方向）に伸びた線光源であり、たとえば例陰極管やＥＥＦＬ（External Electrode Fluorescent Lamp：外部電極蛍光管）である。なお、蛍光管１３とともに、ＬＥＤ（Light Emitting Device）等の複数の点光源がハウジング１２内に収納されてもよい。また、収納された複数のＬＥＤが線状に配列されることにより、擬似的な線光源が形成されてもよい。
【００１７】
拡散板１４は、開口部１２０に嵌め込まれる。拡散板１４は、ハウジング１２の背面と並行に配設される。拡散板１４が開口部１２０に嵌め込まれると、ハウジング１２の内部は密閉される。そのため、蛍光管１３から出射された光が拡散板１４以外の箇所から外部に漏れるのを防止でき、光の利用効率が向上する。
【００１８】
拡散板１４は、蛍光管１３からの光と反射フィルム１２１で反射された光とを、ほぼ均一に拡散して正面に出射する。拡散板１４は、透明な基材と、基材内に分散された複数のフィラ（微細な粒子）とで構成される。基材内に分散されたフィラは、可視光領域の波長の光に対する屈折率が基材と異なる。そのため、拡散板１４は、入射された光を拡散し、拡散された光が拡散板１４を透過する。
【００１９】
拡散板１４の基材は、たとえば、ガラスや、ポリエステル系樹脂、ポリカーボネート系樹脂、ポリアクリル酸エステル系樹脂、脂環式ポリオレフィン系樹脂、ポリスチレン系樹脂、ポリ塩化ビニル系樹脂、ポリ酢酸ビニル系樹脂、ポリエーテルスルホン酸系樹脂、トリアセチルセルロース系樹脂等からなる。拡散板１４はまた、光学部材１５を支持する。拡散板１４の全光線透過率は、好ましくは、６０〜７０％である。
【００２０】
［光学部材］
図３〜図５を参照して、光学部材１５は、レンチキュラレンズシート３１と、拡散シート３２とを備える。
【００２１】
レンチキュラレンズシート３１は、シート状又はフィルム状であり、拡散板１４上に敷設される。このとき、平坦面３１４が拡散板１４に対向する。
【００２２】
レンチキュラレンズシート３１は、基材部３１０とシリンドリカルレンズ部３１１とを備える。基材部３１０は可視光に対して透明である。基材部３１０は、たとえば、ガラス、ポリエステル系樹脂、ポリカーボネート系樹脂、ポリアクリル酸エステル系樹脂、脂環式ポリオレフィン系樹脂、ポリスチレン系樹脂、ポリアセチルセルロース系樹脂等の樹脂からなる。
【００２３】
シリンドリカルレンズ部３１１は、基材部３１０上に形成される。シリンドリカルレンズ部３１１は可視光に対して透明である。シリンドリカルレンズ部３１１は、複数のシリンドリカルレンズ３１２と、平坦部３１３とを含む。複数のシリンドリカルレンズ３１２は、線光源である複数の蛍光管１３と並行する。つまり、シリンドリカルレンズ３１２は、蛍光管１３と同様に、上下方向（図１中のｙ方向）に並設される。シリンドリカルレンズ３１２の表面（レンズ面）３１５の横断形状は、円弧や楕円弧、又は、凸の曲率を有するレンズ頂上部と直線状のレンズ縁部とを含む弓状である。平坦部３１３は、隣り合うシリンドリカルレンズ３１２の間に形成される。なお、平坦部３１３はなくてもよい。すなわち、隣り合うシリンドリカルレンズ３１２の縁が互いに接触していてもよい。
【００２４】
シリンドリカルレンズ部３１１は、電離放射線硬化樹脂からなる。電離放射線硬化樹脂は、紫外線や電子線等の電離放射線により硬化する。電離放射線硬化樹脂はたとえば、ポリエステル系アクリレート樹脂、ウレタン系アクリレート樹脂、ポリエーテル系アクリレート樹脂、エポキシ系アクリレート樹脂、ポリエステル系メタクリレート樹脂、ウレタン系メタクリレート樹脂、ポリエーテル系メタクリレート樹脂、エポキシ系メタクリレート樹脂である。
【００２５】
レンチキュラレンズシート３１は、面光源１１から出射された光を集光する。シリンドリカルレンズ３１２は上下方向に並設されるため、レンチキュラレンズシート３１を透過した光の輝度の角度依存性は、上下方向よりも左右方向の方が広くなる。換言すれば、レンチキュラレンズシート３１は、上下視野角よりも左右視野角の幅を広く維持する。具体的には、レンチキュラレンズシート３１により、左右方向の１／３視野角を１２０ｄｅｇ以上とすることができる。
【００２６】
好ましくは、シリンドリカルレンズ３１２の横断形状は、図６に示すように、長軸ＬＡの端点がレンズ頂上ＴＣとなる楕円弧である。又は、好ましくは、シリンドリカルレンズ３１２の横断形状は、図７に示すように、レンズ頂上ＴＣを含む弧３１６と、弧３１６の端点ＣＰとシリンドリカルレンズ３１２の端縁ＥＬとを結ぶ線分３１７とで構成される弓状である。なお、弧３１６は円弧であっても楕円弧であってもよい。また、線分３１７は端点ＣＰにおける接線であってもよい。
【００２７】
さらに、図４を参照して、シリンドリカルレンズ３１２のレンズ端縁ＥＬを含む面（レンズ平面）ＥＳと、表面３１５とがなす角度（以下、接触角という）θｃは、好ましくは６０ｄｅｇ以上９０ｄｅｇ未満である。接触角θｃが６０ｄｅｇ未満であれば、輝度ムラを抑制しにくくなる。また、接触角が９０ｄｅｇ以上の場合、ロール版によりレンチキュラレンズシートを製造するのが困難になる。より好ましい接触角θｃは、６０ｄｅｇ以上７５ｄｅｇ以下である。
【００２８】
拡散シート３２は、レンチキュラレンズシート３１上に敷設される。拡散シート３２の下面３２２は、レンチキュラレンズシート３１のレンズ面３１５と対向する。拡散シート３２は、基材部３２０と、レンズ部３２１とを備える。基材部３２０は、レンチキュラレンズシート３１の基材部３１０と同様の素材で構成される。
【００２９】
レンズ部３２１は、複数の凸部３２３を含む。また、レンズ部３２１は、バインダ３２４と、球状粒子３２５とを含む。バインダ３２４内の複数の球状粒子３２５の一部がバインダ２３４表面から露出することにより、複数の凸部３２３が形成される。複数の凸部３２３は、下面３２２から入射された光を正面（下面３２２の法線方向）に集光する。バインダ３２４は、電離放射線により硬化される電離放射線硬化樹脂からなる。なお、拡散シート３２上には液晶パネル２０が敷設される。
【００３０】
拡散シート３２はさらに、８０％以上の全光線透過率を有し、かつ、８０％以上のヘイズを有する。
【００３１】
全光線透過率は、光の全波長において、光が透過する割合を示す（単位は％）。一般的に、全光線透過率が高ければ、集光効果が低い。拡散シート３２は、８０％以上の全光線透過率を有するため、レンチキュラレンズシート３１から出射された光の集光を抑える。つまり、レンチキュラレンズシート３１により形成された輝度の視野角依存性を維持しながら光を透過する。そのため、左右方向の１／３視野角を１２０ｄｅｇ以上に維持できる。全光線透過率が８０％未満の場合、左右方向の１／３視野角が１２０ｄｅｇ未満となる。
【００３２】
図８及び図９は、図３に示す光学部材を面光源に敷設し、かつ、光学部材上にＩＰＳ方式の液晶パネルを敷設した場合の、表示画面の輝度の視野角依存性を示す。図中の横軸は視野角（ｄｅｇ）である。視野角は、表示画面の法線方向（正面）を０ｄｅｇ軸とする。そして、０ｄｅｇ軸から上下方向への傾き角を上下視野角とし、左右方向への傾き角を左右視野角とする。左右視野角のうち、法線から向かって右方向への傾き角をプラス（＋）で表し、法線から向かって左方向への傾き角をマイナス（−）で表す。同様に、上下視野角のうち、法線から上方向への傾き角を（＋）で表し、法線から下方向への傾き角を（−）で表す。縦軸は、視野角０ｄｅｇでの輝度に対する、各視野角での輝度の比（相対輝度）を示す。図中の実線は左右方向の輝度の視野角依存性を示し、破線は上下方向の輝度の視野角依存性を示す。
【００３３】
図８は全光線透過率が８５％の拡散シートを用いたバックライトの輝度の視野角依存性を示し、図９は全光線透過率が６５％の拡散シートを用いたバックライトの輝度の視野角
依存性を示す。図８及び図９を参照して、全光線透過率が８０％以上である場合（図８）、１／３視野角は１２５ｄｅｇであり、１２０ｄｅｇを超える。一方、全光線透過率が８０％未満の場合（図９）、１／３視野角は１１４ｄｅｇであり、１２０ｄｅｇ未満となる。
【００３４】
一方、ヘイズは、曇価とも呼ばれ、入射した光が拡散する度合いを示す。ヘイズが８０％以上であれば、輝度ムラの発生が抑制される。一方、ヘイズが８０％未満であれば、光の拡散の度合いが小さくなるため、輝度ムラが発生しやすくなる。
【００３５】
図１０及び図１１は、図３に示す光学部材を面光源に敷設し、かつ、光学部材上にＩＰＳ方式の液晶パネルを敷設した場合の、表示画面の正面輝度分布を示す。図８及び図９の横軸は、表示画面の中央を原点（０）としたときのｙ方向の距離を示す。プラス（＋）が原点よりも上方向の距離を示し、マイナス（−）が原点よりも下方向の距離を示す。縦軸は、測定された正面輝度の最高値を１００とした場合の、各地点での最高値に対する正面輝度の比（単位は％）を示す。
【００３６】
図１０はヘイズが８３％の拡散シートを用いたバックライトの正面輝度分布を示し、図１１はヘイズが７３％の拡散シートを用いたバックライトの正面輝度分布を示す。図１０及び図１１を参照して、ヘイズが８０％以上である場合（図１０）、相対輝度比の最大値と最小値との差（差分値ΔＬ）は１．５％である。一方、ヘイズが８０％未満である場合（図１１）、ΔＬは２．６％であり、図１０における差分値ΔＬよりも大きくなる。
【００３７】
本実施の形態による拡散シート３２は、８０％以上の全光線透過率及び８０％以上のヘイズを有する。そのため、液晶表示装置１の表示画面２１の左右方向の１／３視野角は１２０ｄｅｇ以上となる。さらに、輝度ムラも抑えられ、具体的には、差分値ΔＬを２．０％以下とすることができる。
【００３８】
拡散シート３２の全光線透過率及びヘイズは、球状粒子３２５の含有量及びサイズにより調整可能である。たとえば、図１２に示すように、サイズの大きい球状粒子３２５（直径７〜１５μｍ）を含有する拡散シート３２では、ヘイズが高く、全光線透過率が低い。一方、図１３に示すように、サイズの小さい球状粒子３２５（直径１〜５μｍ）を含有する拡散シート３２では、ヘイズが低く、全光線透過率が高い。また、球状粒子３２５の含有率が高いほど、拡散シートのヘイズは高くなり、全光線透過率は低くなる。このように、球状粒子３２５のサイズと含有率とを調整することにより、拡散シートの全光線透過率及びヘイズを調整できる。
【００３９】
図１４は、球状粒子３２５のサイズと含有量とを調整することにより製造可能な拡散シートの全光線透過率とヘイズとの関係を示す図である。図１４に示すとおり、球状粒子３２５のサイズと含有量とを調整することにより、拡散シートの全光線透過率を８０％以上とし、かつ、ヘイズを８０％以上とすることができる。
［製造方法］
レンチキュラレンズシートは周知の方法で製造される。レンチキュラレンズシート３１を製造する工程の一例は以下のとおりである。複数のシリンドリカルレンズ３１２に対応した複数の溝を表面に有するロール版を準備する。ダイコータにより電離放射線硬化樹脂をロール版上に塗布する。続いて、基材部３１０となる基材シートをロール版に押し当てながら、電離放射線を照射して、シリンドリカルレンズ部３１１を基材部３１０上に転写する。以上の工程により、レンチキュラレンズシート３１が製造される。
【００４０】
なお、上述の製造方法では、電離放射線硬化樹脂をロール版上に塗布したが、電離放射線硬化樹脂を基材部３１０上に塗布して電離放射線硬化樹脂層を形成してもよい。この場合、電離放射線硬化樹脂層をロール版に押し当てる。また、ロール版の表面と基材部３１０の表面とに、それぞれ電離放射線硬化樹脂を塗布してもよい。また、ロール版の代わりに、板状の平版を用いてもよい。
【００４１】
拡散シート３２も、周知の製造方法により製造することができる。拡散シート３２を製造する工程の一例は以下のとおりである。始めに、複数の球状粒子を、バインダとなる電離放射線硬化樹脂中に均一に分散する。続いて、球状粒子が分散された電離放射線硬化樹脂を、グラビアコータを用いて、基材部３２０となる基材シート上に塗布する。続いて、電離放射線を照射して電離放射線硬化樹脂を硬化し、拡散シート３２とする。
【００４２】
なお、拡散シート３２は上述の方法と異なる方法でも製造できる。たとえば、有機溶剤溶解性樹脂を有機溶剤に溶かした塗料を準備する。準備された塗料中に球状粒子を分散する。続いて、球状粒子が分散された塗料を基材シート上に塗布する。有機溶剤を乾燥して、拡散シート３２とする。
【実施例】
【００４３】
種々の全光線透過率及びヘイズを有する複数の拡散シートを用いて、試験番号１〜３のバックライトを製造した。製造されたバックライトにＩＰＳ方式の液晶パネルを敷設し、輝度の視野角依存性及び輝度ムラを調査した。
【００４４】
ロール版を用いた上述の製造方法により試験番号１〜３のレンチキュラレンズシートを製造した。シリンドリカルレンズの形状はいずれも、図７に示す弓状とし、いずれも同じ寸法とした。接触角θｃはいずれも６３ｄｅｇであった。
また、上述の製造方法により、試験番号１〜３の拡散シートを製造した。製造された拡散シートの全光線透過率をＪＩＳＫ７３６１に基づいて測定し、拡散シートのヘイズをＪＩＳＫ７１３６に基づいて測定した。測定結果を表１に示す。
【表１】
2009140615.tif 000003
【００４５】
表１を参照して、試験番号１の拡散シートの全光線透過率は８０％以上であり、かつ、ヘイズも８０％以上であり、本発明の範囲内であった。一方、試験番号２の拡散シートのヘイズは８０％以上であるものの、全光線透過率が８０％未満であり、本発明の範囲外であった。また、試験番号３の拡散シートの全光線透過率は８０％以上であるものの、ヘイズが８０％未満であり、本発明の範囲外であった。
【００４６】
面光源は以下のとおりに製造された。２４ｍｍピッチで配列された直径約３ｍｍの複数の蛍光管を収容した筐体を準備した。蛍光管は上下方向（図１中のｙ方向）に並設された。筐体の開口部には、６５％の透過率を有する拡散板が敷設された。
【００４７】
上述の面光源上に、各試験番号のレンチキュラレンズシートを敷設し、さらに、レンチキュラレンズシート上に各試験番号の拡散シートを敷設して、試験番号１〜３のバックライトを製造した。このとき、シリンドリカルレンズの並設方向は、蛍光管の並設方向と同じとした。
【００４８】
［調査方法］
製造された試験番号１〜３のバックライトについて、輝度の視野角依存性と、正面輝度分布とを調査した。試験番号１〜３のバックライトにＩＰＳ方式の液晶パネルを敷設した。液晶パネルを敷設後、表示画面の上下方向及び左右方向の輝度の視野角依存性を測定した。輝度は、輝度計により測定し、測定箇所は表示画面の中央部とした。測定結果に基づいて輝度の視野角依存性のグラフを作成し、作成したグラフから左右方向の１／３視野角を求めた。具体的には、左右方向の輝度の視野角依存性において、正面輝度（０ｄｅｇの輝度）の１／３以上の輝度を有する視野角範囲を求め、求めた視野角範囲を１／３視野角と決定した。
【００４９】
さらに、ＩＰＳ方式の液晶パネルを敷設した各試験番号１〜３のバックライト装置について、正面輝度分布を求めた。具体的には、表示画面のうち、下辺中央部と上辺中央部とを結ぶ直線上の正面輝度を輝度計により測定した。測定結果をグラフ化し、輝度ムラが発生しているか否かを判断した。差分値ΔＬが２．０％を越えていれば輝度ムラが発生したと判断し、ΔＬが２．０％以下であれば輝度ムラが発生しなかったと判断した。
［調査結果］
試験番号１は、図８に示す輝度の視野角依存性を示し、図１０に示す正面輝度分布を示した。試験番号２は、図９に示す輝度の視野角依存性を示し、図１５に示す正面輝度分布を示した。試験番号３は、図１６に示す輝度の視野角依存性を示し、図１１に示す正面輝度分布を示した。
【００５０】
１／３視野角と、輝度ムラの判定結果とを表１に示す。輝度ムラ欄の「○」印は、輝度ムラが発生しなかったことを示し、「×」印は、輝度ムラが発生したことを示す。
【００５１】
試験番号１は、１／３視野角が１２０ｄｅｇ以上であった。また、差分値ΔＬは１．５％であり、輝度ムラも発生しなかった。一方、試験番号２は、差分値ΔＬは１．１％であり、輝度ムラは発生しなかったものの、１／３視野角が１２０ｄｅｇ未満であった。また、試験番号３は、１／３視野角が１２０ｄｅｇ以上であるものの、差分値ΔＬは２．６％であり、輝度ムラが発生した。
【００５２】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００５３】
【図１】本発明の実施の形態によるバックライトを含む液晶表示装置の分解斜視図である。
【図２】図１中のバックライトの線分ＩＩ−ＩＩでの断面図である。
【図３】図１中の光学部材の斜視図である。
【図４】図３中のレンチキュラレンズシートの線分ＩＶ−ＩＶでの断面図である。
【図５】図３中の拡散シートの線分Ｖ−Ｖでの断面図である。
【図６】図４に示したレンチキュラレンズシートと異なる形状を有する他のレンチキュラレンズシートの断面図である。
【図７】図４及び図５に示したレンチキュラレンズシートと異なる形状を有する他のレンチキュラレンズシートの断面図である。
【図８】本実施の形態による拡散シートを用いた液晶表示装置で得られる輝度の視野角依存性を示す図である。
【図９】全光線透過率が８０％未満の拡散シートを用いた液晶表示装置で得られる輝度の視野角依存性を示す図である。
【図１０】本実施の形態による拡散シートを用いた液晶表示装置で得られる正面輝度分布を示す図である。
【図１１】ヘイズが８０％未満の拡散シートを用いた液晶表示装置で得られる正面輝度分布を示す図である。
【図１２】図５に示した拡散シートと異なる他の拡散シートの断面図である。
【図１３】図５及び図１２に示した拡散シートと異なる他の拡散シートの断面図である。
【図１４】拡散シートの全光線透過率とヘイズとの関係を示す図である。
【図１５】実施例中の試験番号２のバックライトの正面輝度分布を示す図である。
【図１６】実施例中の試験番号３のバックライトの輝度の視野角依存性を示す図である。
【符号の説明】
【００５４】
１  液晶表示装置
１０  バックライト
１１  面光源
１３  蛍光管
１４  拡散板
１５  光学部材
２０  液晶パネル
３１  レンチキュラレンズシート
３２  拡散シート
３１２  シリンドリカルレンズ
【図１】
2009140615.tif 000004
【図２】
2009140615.tif 000005
【図３】
2009140615.tif 000006
【図４】
2009140615.tif 000007
【図５】
2009140615.tif 000008
【図６】
2009140615.tif 000009
【図７】
2009140615.tif 000010
【図８】
2009140615.tif 000011
【図９】
2009140615.tif 000012
【図１０】
2009140615.tif 000013
【図１１】
2009140615.tif 000014
【図１２】
2009140615.tif 000015
【図１３】
2009140615.tif 000016
【図１４】
2009140615.tif 000017
【図１５】
2009140615.tif 000018
【図１６】
2009140615.tif 000019